(57)【要約】【課題】汚物流しに対して安定した確実な載置セットを可能とし、汚物投入時の跳ね返りを確実に阻止する。【解決手段】汚物流し本体７の前方を覆う前方カバー面１５と汚物流し本体７の前方領域で両側方を覆う側方カバー面１７と前方カバー面１５及び両側方カバー面１７とによって囲まれた上方を覆う天井カバー面１９とにより後方と下方が開放された一体に連続し合う形状に形成する一方、前記側方カバー面１７から側方カバー面１７までの幅Ｄを前記開口周縁リブ２１の両サイドリブより外方へ延長する長さに形成し、前記前方カバー面１５の裏面側には、前記開口周縁リブ２１のリブ上面に載る支持棚部２３とその支持棚部２３から下方へ延長され前記開口周縁リブ２１を挟んで前記前方カバー面１５と対向し合う押え突起部２５とを備えた汚物流し汚染・感染予防器具１とする。【選択図】図１
2010088472.tif 000002
【特許請求の範囲】
【請求項１】
汚物流し本体の上方開放口の開口周縁リブ前半部に対して上方から着脱自在に載置セットして使用する汚物流し汚染・感染予防器具であって、
前記汚物流し汚染・感染予防器具は、汚物流し本体の前方を覆う前方カバー面と汚物流し本体の前方領域で両側方を覆う側方カバー面と前方カバー面及び両側方カバー面とによって囲まれた上方を覆う天井カバー面とにより後方と下方が開放された一体に連続し合う形状に形成される一方、前記側方カバー面から側方カバー面までの幅を前記開口周縁リブの両サイドリブより外方へ延長する長さに形成し、前記前方カバー面の裏面側には、前記開口周縁リブのリブ上面に載る支持棚部とその支持棚部から下方へ延長され前記開口周縁リブを挟んで前記前方カバー面と対向し合う押え突起部とを備えていることを特徴とする汚物流し汚染・感染予防器具。
【請求項２】
少なくとも、前記天井カバー面は、外から内部が見える透明体又は覗き窓を有していることを特徴とする請求項１記載の汚物流し汚染・感染予防器具。
【請求項３】
前記天井カバー面は、前面へ向かって下降傾斜する傾斜勾配面になっていることを特徴とする請求項１又は２記載の汚物流し汚染・感染予防器具。
【発明の詳細な説明】
【技術分野】
【０００１】
本発明は病院、医療施設等に設置された汚物流しにセットして使用するのに適する汚物流し汚染・感染予防器具に関する。
【背景技術】
【０００２】
一般に病院内には患者から排出された汚物等を水と一緒に流すための汚物流しが設置されている。
【０００３】
汚物流しは、床面に設置された流し設置部の上方に流し槽が設けられ、流し槽の上方は大きく開放された四角な開放口となっている。
【０００４】
上方の開放口から投入された汚物は、操作レバーを操作することで水洗便器と同じ原理によりバルブが開き、排水口から水と一緒に外へ排出される構造となっている。
【発明の開示】
【発明が解決しようとする課題】
【０００５】
汚物流しの流し槽は、上方が大きく開放された形状になっている点に加えて、底に一定の水が溜まっているところから上方からの汚物等の落下時に、底に溜まっている水とに跳ね返りが起こり、それが看護職員の衣服に付着する問題があった。
【０００６】
特に、近年は院内感染を含めて病院内の衛生管理が叫ばれており、跳ね返りによる衣服の付着問題は早急な解決策が求められていたものである。
【０００７】
そこで、本発明にあっては、汚物流しに対して安定した確実な載置セットが可能で、しかも、汚物投入時の跳ね返りを確実に防止するようにした汚物流し汚染・感染予防器具を提供することを目的とする。
【課題を解決するための手段】
【０００８】
前記目的を達成するために本発明にあっては、汚物流し本体の上方開放口の開口周縁リブ前半部に対して上方から着脱自在に載置セットして使用する汚物流し汚染・感染予防器具であって、前記汚物流し汚染・感染予防器具は、汚物流し本体の前方を覆う前方カバー面と汚物流し本体の前方領域で両側方を覆う側方カバー面と前方カバー面及び両側方カバー面とによって囲まれた上方を覆う天井カバー面とにより後方と下方が開放された一体に連続し合う形状に形成される一方、前記側方カバー面から側方カバー面までの幅を前記開口周縁リブの両サイドリブより外方へ延長する長さに形成し、前記前方カバー面の裏面側には、前記開口周縁リブのリブ上面に載る支持棚部とその支持棚部から下方へ延長され前記開口周縁リブを挟んで前記前方カバー面と対向し合う押え突起部とを備えていることを特徴とする。
【発明の効果】
【０００９】
本発明によれば、汚物流し汚染・感染予防器具を汚物流し本体の上方開放口に載置セットした時に支持棚部は、上方開放口の開口周縁リブのリブ上面に載った状態が得られる一方、その開口周縁リブを挟んで前方は前方カバー面が、後は押え突起部が、前方の両側方は側方カバー面がそれぞれ位置する配置構造によって、前後、左右方向への倒れを阻止する作用が生まれ、滑り易く載せるのが難しいとされる陶器製の汚物流し本体に対して、安定して確実に載置セットすることができる。
【００１０】
一方、汚物投入時の跳ね返り粒子は、四方へ飛散したとしても前方カバー面、両側方カバー面、天井カバー面に当り落下するため衣服への付着を確実に阻止することができる。
【００１１】
特に天井カバー面は、前方カバー面及び両側方カバー面とにより囲まれた上方を覆うため、上方に向かう跳ね返り粒子を確実に阻止することができる。
【発明を実施するための最良の形態】
【００１２】
本発明を実施するにあたって、第１には少なくとも、天井カバー面を外から内部が見える透明体にする。又は覗き窓を設けるようにすることで、投入時の汚物等の色や粘度等が見えるようにして患者の病状や健康状態を知る情報源が得られるようにすることが望ましい。
【００１３】
第２には前記天井カバー面を、前方へ向かって下降傾斜する傾斜勾配面とすることで、上方へ向かう跳ね返り粒子が確実に天井カバー面に当るようにすることが望ましい。
【実施例】
【００１４】
以下、図１乃至図４の図面を参照しながら本発明の実施形態について具体的に説明する。
【００１５】
図１は本発明にかかる汚物流し汚染・感染予防器具の全体の概要斜視図を示している。
【００１６】
汚染流し汚染・感染予防器具１は図３に示す如く、例えば、病院、医療施設等に設置されている汚物流し３に載置セットして使用するようになっている。汚物流し３は、汚物流し本体となる流し設置部５と流し槽７とからなり、流し設置部５は排水装置（図示していない）と連結された状態で床面９に設置固定されている。流し槽７は図４に示す如く四角に形成され上方が大きく開放した開放口１０となっていて、操作レバー１１を操作することで、水洗便器と同じ原理によりバルブが開き、排水口１３から水と一緒に汚物等が排出される構造となっている。
【００１７】
一方、汚物流し汚染・感染予防器具１は、図１に示す如く汚物流し本体となる流し槽７の前方（図３右側）を覆う前方カバー面１５と流し槽７の前方領域で両側方を覆う側方カバー面１７と前方カバー面１５及び両側方カバー面１７とによって囲まれた上方を覆う天井カバー面１９とにより後方と下方が開放された一体に連続し合う形状となっている。
【００１８】
天井カバー面１９は、前方（図３右側）へ向かって下降傾斜する傾斜勾配面となっている。側方カバー面１７から側方カバー面１７までの幅Ｄは、前記上方の開放口１０となる開口周縁リブ２１の両サイドリブの幅ｄより外へ延長する長さに形成され、所定の高さＨを有している。
【００１９】
天井カバー面１９までの高さＨは、跳ね返りを防ぐ点を考えると高ければ高いほど望ましいが、高すぎると天井カバー面１９の上方から手を伸ばして汚物流し３の操作レバー１１及び水栓カラン１４を操作する時の邪魔となる問題をかかえるため、操作性を考慮に入れた高さに設定してある。実験では２５〜３５ｃｍが最適であった。
【００２０】
一方、前記カバー面１５の裏面には、前記開口周縁リブ２１のリブ上面に一定の領域にわたって載る支持棚部２３とその支持棚部２３から下方へ延長され前記開口周縁リブ２１を挟んで前記前方カバー面１５と面状に対向し合う押え突起部２５とを有している。
【００２１】
汚物流し汚染・感染予防器具１の材質は、女性看護師でも容易に取扱うことができるように軽い材質の合成樹脂で作られ、全体は透明体である。
【００２２】
透明体とする理由は、汚物流し３に汚物等を流す時に上方から覗き込むようにしなくても色や粘度等をカバー面を介して見ることで、患者の病状や健康状態の情報が得られるようにするためである。
【００２３】
この場合、透明部分は必ずしも全体でなくてもよく、天井カバー面１９だけでもよい。または、天井カバー面１９に透明な覗き窓を作るようにすることでもよい。
【００２４】
このように構成された汚物流し汚染・感染予防器具１を汚物流し本体の開口周縁リブ２１の前方に載置セットした時に、支持棚部２３は開口周縁リブ２１のリブ上面に載った状態となる。
【００２５】
この時、開口周縁リブ２１を挟んで前方は前方カバー面１５が、後は押え突起部２５が、前方の両側方は側方カバー面１７がそれぞれ位置する配置構造によって、前後、左右方向への倒れを阻止する作用が生まれ、滑り易く載せるのが難しいとされる陶器製の汚物流し本体となる流し槽７に対して安定して確実に載置セットすることが可能となる。
【００２６】
この場合、開口周縁リブ２１のリブ上面又は支持棚部２３の支持面側のいずれか一方に、帯板状の金属体を、他方に帯板状の磁石をそれぞれ設けるようにすることが望ましい。
【００２７】
これにより、磁石と金属体との吸着作用によってより確実な載置セット状態が得られる。
【００２８】
一方、汚物等は汚物流し汚染・感染予防器具１の前（図４右側）に立って、その側方から流し槽７内へ流すようにする。この時、汚物投入時の跳ね返り粒子は、前方カバー面１５、両側方カバー面１７、天井カバー面１９に当り落下するため看護職員の衣服への付着を確実に阻止する。
【００２９】
また、汚物の色や粘度等の状況は天井カバー面１９の上から無理な姿勢で覗き込むようにしなくても、自然な姿勢でカバー面を介して見ることができるようになる。
【００３０】
また、使用しない時は上へ持ち上げることで簡単に取外すことが可能となる。この取外しによって汚物流し汚染・感染予防器具の定期的な汚れの点検・掃除、あるいは、汚物流し３の内部の掃除を支障なく行なえるようになる。
【図面の簡単な説明】
【００３１】
【図１】本発明にかかる汚物流し汚染・感染予防器具全体の概要斜視図。
【図２】図１のＡ−Ａ線断面図。
【図３】汚物流し汚染・感染予防器を汚物流し本体の前方に載置セットした状態の概要側面図。
【図４】図３の概要平面図。
【符号の説明】
【００３２】
１…汚物流し汚染・感染予防器具
３…汚物流し
５…流し設備部（汚物流し本体）
７…流し槽（汚物流し本体）
１０…開放口
１１…操作レバー
１５…前方カバー面
１７…側方カバー面
１９…天井カバー面
２１…開口周縁リブ
２３…支持棚部
２５…押え突起部
【図１】
2010088472.tif 000003
【図２】
2010088472.tif 000004
【図３】
2010088472.tif 000005
【図４】
2010088472.tif 000006